(57)【特許請求の範囲】
【請求項１】
通信制御装置を識別する識別情報と、移動体端末の識別情報とを記憶する記録部と、
移動体端末の識別情報を含んだコンテンツ配信要求を移動体端末から第１の無線網を介して受信する無線通信部と、
上記無線通信部が受信したコンテンツ配信要求に含まれる移動体端末の識別情報と上記記録部によって記憶された移動体端末の識別情報とからコンテンツ配信要求を送信した移動体端末の属性を特定する管理部と、
上記無線通信部がコンテンツ配信要求を受信した場合、上記コンテンツ配信要求に含まれる移動体端末の識別情報と、上記管理部が特定した移動体端末の属性と、上記記録部が記憶した通信制御装置の識別情報とを含んだ移動体端末との接続許可の問い合わせを、移動体端末の認証を行う認証制御装置へ送信し、送信した問い合わせに含まれた移動体端末の識別情報から認証制御装置に移動体端末との接続を許可するか否かを判断させ、判断させた結果に基づいてコンテンツ配信要求をした移動体端末との回線を接続するとともに、コンテンツを配信するサービス提供サーバから移動体端末に配信されるコンテンツの通信量を上記通信制御装置の識別情報毎に移動体端末の属性に対応させて認証制御装置にカウントさせる通信部と
を備えることを特徴とする通信制御装置。
【請求項２】
通信制御装置を識別する識別情報と、移動体端末の識別情報とを記憶する記録部と、
移動体端末の識別情報を含んだコンテンツ配信要求を移動体端末から第１の無線網を介して受信する無線通信部と、
上記無線通信部が受信したコンテンツ配信要求に含まれる移動体端末の識別情報と上記記録部によって記憶された移動体端末の識別情報とからコンテンツ配信要求を送信した移動体端末の属性を特定する管理部と、
上記無線通信部がコンテンツ配信要求を受信した場合、上記管理部が特定した移動体端末の属性と、上記記録部が記憶した通信制御装置の識別情報とを含んだ移動体端末との接続許可の問い合わせを、認証鍵の制御を行う認証制御装置へ送信し、送信した問い合わせに対し認証制御装置から認証鍵を受信し、受信した認証鍵に基づいてコンテンツ配信要求をした移動体端末を認証し、認証結果に基づいて移動体端末との回線を接続するとともに、コンテンツを配信するサービス提供サーバから移動体端末に配信されるコンテンツの通信量を上記通信制御装置の識別情報毎に移動体端末の属性に対応させて認証制御装置にカウントさせる通信部と
を備えることを特徴とする通信制御装置。
【請求項３】
上記記録部は、複数の属性毎に移動体端末の識別情報を記憶する複数の属性毎のテーブルを備え、
上記管理部は、上記無線通信部が受信したコンテンツ配信要求に含まれる移動体端末の識別情報を記憶するテーブルを判断し、判断したテーブルの属性を上記コンテンツ配信要求を送信した移動体端末の属性として特定することを特徴とする請求項１又は２のいずれかに記載された通信制御装置。
【請求項４】
通信制御装置を識別する識別情報と、移動体端末の識別情報とを記憶する記録部と、
移動体端末の識別情報を含んだコンテンツ配信要求を移動体端末から第１の無線網を介して受信する無線通信部と、
上記無線通信部が受信したコンテンツ配信要求に含まれる移動体端末の識別情報と上記記録部によって記憶された移動体端末の識別情報とからコンテンツ配信要求を送信した移動体端末の属性を特定する管理部と、
上記無線通信部がコンテンツ配信要求を受信した場合、上記コンテンツ配信要求に含まれる移動体端末の識別情報と、上記管理部が特定した移動体端末の属性と、上記記録部が記憶した通信制御装置の識別情報とを含んだ移動体端末との接続許可の問い合わせを送信する通信部と
を備える通信制御装置と、
上記通信部によって送信された問い合わせを受信し、受信した問い合わせに含まれた移動体端末の識別情報から移動体端末との接続を許可するか否かを判断し、判断結果に基づいて移動体端末との接続を上記通信制御装置に許可する認証部と、
コンテンツを配信するサービス提供サーバから移動体端末へ配信されるコンテンツを受信し、移動体端末へ送信されるコンテンツの通信量を上記認証部によって受信された問合せに含まれた通信制御装置の識別情報毎に上記認証部によって受信された問合せに含まれた移動体端末の属性に対応させてカウントするカウンタと
を備える認証制御装置と
を備えたことを特徴とする通信システム。
【請求項５】
通信制御装置を識別する識別情報と、移動体端末の識別情報とを記憶する記録部と、
移動体端末の識別情報を含んだコンテンツ配信要求を移動体端末から第１の無線網を介して受信する無線通信部と、
上記無線通信部が受信したコンテンツ配信要求に含まれる移動体端末の識別情報と上記記録部によって記憶された移動体端末の識別情報とからコンテンツ配信要求を送信した移動体端末の属性を特定する管理部と、
上記無線通信部がコンテンツ配信要求を受信した場合、上記管理部が特定した移動体端末の属性と、上記記録部が記憶した通信制御装置の識別情報とを含んだ移動体端末との接続許可の問い合わせを送信する通信部と
を備える通信制御装置と、
上記通信部によって送信された問い合わせを受信し、受信した問い合わせに対して認証鍵の生成を認証鍵生成サーバに命令し、認証鍵生成サーバによって生成された認証鍵を上記通信制御装置に送信し、送信した認証鍵に基づいて上記通信制御装置に移動体端末の認証を行わせる認証部と、
コンテンツを配信するサービス提供サーバから移動体端末へ配信されるコンテンツを受信し、移動体端末へ送信されるコンテンツの通信量を上記認証部によって受信された問合せに含まれた通信制御装置の識別情報毎に上記認証部によって受信された問合せに含まれた移動体端末の属性に対応させてカウントするカウンタと
を備える認証制御装置と
を備えたことを特徴とする通信システム。
【請求項６】
上記通信制御装置の記録部は、複数の属性毎に移動体端末の識別情報を記憶する複数の属性毎のテーブルを備え、
上記通信制御装置の管理部は、上記無線通信部が受信したコンテンツ配信要求に含まれる移動体端末の識別情報を記憶するテーブルを判断し、判断したテーブルの属性を上記コンテンツ配信要求を送信した移動体端末の属性として特定することを特徴とする請求項４又は５のいずれかに記載された通信システム。
【請求項７】
上記通信システムは、さらに、
上記通信制御装置と接続され、上記通信制御装置によって送受信されるデータを転送するブロードバンド回線を備えることを特徴とする請求項４または請求項５のいずれかに記載された通信システム。
【請求項８】
上記通信システムは、さらに、
サービス提供サーバから送信されたコンテンツを第２の無線網を介してコンテンツ配信要求をした移動体端末へ送信する基地局を備え、
上記通信システムは、上記基地局をアクセスポイントとして上記サービス提供サーバから移動体端末へコンテンツを配信する通信ルートと、上記通信制御装置をアクセスポイントとして上記サービス提供サーバから移動体端末へコンテンツを配信する通信ルートの少なくともいずれかの通信ルートによってサービス提供サーバから移動体端末へコンテンツを配信することを特徴とする請求項４又は５に記載された通信システム。
【請求項９】
通信制御装置を識別する識別情報と、移動体端末の識別情報とを記憶し、
移動体端末の識別情報を含んだコンテンツ配信要求を移動体端末から第１の無線網を介して受信し、
上記受信したコンテンツ配信要求に含まれる移動体端末の識別情報と上記記憶した移動体端末の識別情報とからコンテンツ配信要求を送信した移動体端末の属性を特定し、
上記コンテンツ配信要求を受信した場合、上記コンテンツ配信要求に含まれる移動体端末の識別情報と、上記特定した移動体端末の属性と、上記記憶した通信制御装置の識別情報とを含んだ移動体端末との接続許可の問い合わせを送信し、送信した問い合わせに含まれた移動体端末の識別情報から移動体端末との接続を許可するか否かを判断させるとともに、上記移動体端末に配信されるコンテンツの通信量を上記送信した問合せに含まれた通信制御装置の識別情報毎に移動体端末の属性に対応させてカウントさせ、
上記判断させた結果に基づいてコンテンツ配信要求をした移動体端末との回線を接続する
ことを特徴とする通信制御方法。
【請求項１０】
通信制御装置を識別する識別情報と、移動体端末の識別情報とを記憶し、
移動体端末の識別情報を含んだコンテンツ配信要求を移動体端末から第１の無線網を介して受信し、
上記受信したコンテンツ配信要求に含まれる移動体端末の識別情報と上記記憶した移動体端末の識別情報とからコンテンツ配信要求を送信した移動体端末の属性を特定し、
上記コンテンツ配信要求を受信した場合、上記特定した移動体端末の属性と、上記記憶した通信制御装置の識別情報とを含んだ移動体端末との接続許可の問い合わせを送信するとともに、上記移動体端末に配信されるコンテンツの通信量を上記送信した問い合わせに含まれた通信制御装置の識別情報毎に移動体端末の属性に対応させてカウントさせ、
上記送信した問い合わせに対し認証鍵を受信し、
上記受信した認証鍵に基づいてコンテンツ配信要求をした移動体端末を認証し、認証結果に基づいて移動体端末との回線を接続する
ことを特徴とする通信制御方法。
【請求項１１】
通信制御装置を識別する識別情報と、移動体端末の識別情報とを記憶する処理と、
移動体端末の識別情報を含んだコンテンツ配信要求を移動体端末から第１の無線網を介して受信する処理と、
上記受信したコンテンツ配信要求に含まれる移動体端末の識別情報と上記記憶した移動体端末の識別情報とからコンテンツ配信要求を送信した移動体端末の属性を特定する処理と、
上記コンテンツ配信要求を受信した場合、上記コンテンツ配信要求に含まれる移動体端末の識別情報と、上記特定した移動体端末の属性と、上記記憶した通信制御装置の識別情報とを含んだ移動体端末との接続許可の問い合わせを送信し、送信した問い合わせに含まれた移動体端末の識別情報から移動体端末との接続を許可するか否かを判断させるとともに、上記移動体端末に配信されるコンテンツの通信量を上記送信した問い合わせに含まれた通信制御装置の識別情報毎に移動体端末の属性に対応させてカウントさせる処理と、
上記判断させた結果に基づいてコンテンツ配信要求をした移動体端末との回線を接続する処理と
をコンピュータに実行させることを特徴とする通信制御プログラム。
【請求項１２】
通信制御装置を識別する識別情報と、移動体端末の識別情報とを記憶する処理と、
移動体端末の識別情報を含んだコンテンツ配信要求を移動体端末から第１の無線網を介して受信する処理と、
上記受信したコンテンツ配信要求に含まれる移動体端末の識別情報と上記記憶した移動体端末の識別情報とからコンテンツ配信要求を送信した移動体端末の属性を特定する処理と、
上記コンテンツ配信要求を受信した場合、上記特定した移動体端末の属性と、上記記憶した通信制御装置の識別情報とを含んだ移動体端末との接続許可の問い合わせを送信するとともに、上記移動体端末に配信されるコンテンツの通信量を上記送信した問い合わせに含まれた通信制御装置の識別情報毎に移動体端末の属性に対応させてカウントさせる処理と、
上記送信した問い合わせに対し認証鍵を受信する処理と、
上記受信した認証鍵に基づいてコンテンツ配信要求をした移動体端末を認証し、認証結果に基づいて移動体端末との回線を接続する処理と
をコンピュータに実行させることを特徴とする通信制御プログラム。
【発明の詳細な説明】
【０００１】
【発明の属する技術分野】
本発明は、データ通信に関する通信制御装置及び通信システム及びその方法に関するものである。
【０００２】
まず、本発明に関連する技術について説明する。
図１０は、関連発明のシステム構成図である。
１００は、携帯型パーソナルコンピュータ、携帯電話及び携帯型情報端末などの移動体端末である。移動体端末１００は、無線通信を行う無線通信部１２００を有している。
７００は、移動体通信網である。
８００は、移動体端末１００と無線通信を行う基地局である。基地局８００と移動体端末１００とは、移動体通信網７００を伝送媒体として無線通信する。
５００は、インターネットである。
６００は、データベースに記録されたコンテンツデータやサービスアプリケーションなどのコンテンツである。
６１０は、移動体端末１００から配信要求されるコンテンツ６００を配信するサービス提供サーバである。即ち、移動体端末１００は、サービス提供サーバ６１０からインターネット５００と移動体通信網７００を通信網として要求したコンテンツ６００の配信を受ける。
【０００３】
次に、移動体端末１００の利用者が、ある着信メロディを要求する場合の図１０に示すシステムの動作について説明する。
利用者の要求に応じ、移動体端末１００の無線通信部１２００は、移動体通信網７００を用いて基地局８００に着信メロディの配信サービスを要求する。基地局８００は、インターネット５００を用いてサービス提供サーバ６１０に着信メロディの配信サービスを要求する。サービス提供サーバ６１０は、要求に応じて、コンテンツ６００中から要求された着信メロディを取り出す。取り出された着信メロディは、サービス提供サーバ６１０によってインターネット５００を経由して基地局８００に配信され、さらに基地局８００から移動体通信網７００を経由して移動体端末１００に配信される。
【０００４】
このようにして、移動体端末１００は、要求した着信メロディを受け取ることが可能となる。
そして、このようなシステム形態をとることにより、移動体端末１００は、サービス提供サーバ６１０と有線によって接続されていなくても無線通信を通じてコンテンツ配信要求をサービス提供サーバ６１０に伝え、サービス提供サーバ６１０から要求したコンテンツの配信を受けることが可能となる。
【０００５】
但し、移動体端末１００の利用者は、このようなコンテンツ配信サービスを受けるために、移動体通信網７００のインフラ整備と移動体通信の制御を行っている携帯電話事業者等の移動体通信事業者に移動体通信網７００を利用するための加入手続きをとることが必要である。また、移動体端末１００の利用者は、移動体端末１００を通じてコンテンツプロバイダなどのサービス提供事業者への加入が必要である。これらの加入によって、移動体端末１００の利用者は、図１０に示すシステムを用いたサービスの利用が可能となる。
【０００６】
図１１は、移動体通信事業者とサービス提供事業者とが提供する装置とこれらの事業者が移動体端末１００の利用者へ行うサービス内容との関係を示す図である。
まず、移動体通信事業者とは、移動体通信網７００を構築し、移動体通信網７００の制御及び管理を行い、移動体通信インフラの整備を図り、移動体端末１００と他の電子機器との間での情報の送受信を行うためのプラットフォームを提供する事業者をいう。例えば、移動体通信事業者の一例としては、携帯電話事業者であるＮＴＴドコモがあげられる。
また、サービス提供事業者とは、コンテンツプロバイダやサービスアプリケーションプロバイダなど、コンテンツやアプリケーションの配信要求に対応して、コンテンツやアプリケーションを配信する事業者をいう。
図１１に示すように、まず、移動体端末１００がサービス（コンテンツ配信）を要求すると、移動体通信事業者は、基地局８００と移動体端末１００の通信を可能とするためのネットワークアクセス手段を提供する（Ｓ７１）。
このネットワークアクセス手段を利用して移動体端末１００は、サービス提供事業者が提供するサービス（コンテンツ配信）を受けることができる。即ち、移動体通信事業者が提供する移動体通信網７００を用いることによって、サービス提供サーバ６１０は基地局８００を通じて送信されたサービス要求（Ｓ７２）を受け、要求に応じたサービスを移動体端末１００に提供する（Ｓ７３）。このように、移動体端末１００は、基地局８００による移動体通信網７００の制御とサービス提供サーバ６１０によるコンテンツの配信により、要求するサービスを享受することができる。
【０００７】
【発明が解決しようとする課題】
このように、関連技術において移動体端末１００は、コンテンツの配信サービスを受けるために、移動体通信網７００を伝送媒体に用いていた。
しかし、移動体通信事業者が行う移動体通信網７００によるサービスの利用料金は高額であった。また、伝送速度も、例えば、６４ｋｂｐｓや３８４ｋｂｐｓというように低速であった。
従って、移動体端末１００が高速に移動している場合や移動体端末１００が安定した通信を望む場合には上記通信手段による通信は利用価値が高いが、その他の場合には、利用料金が低額で、かつ、データ通信速度が高速な伝送媒体による移動体端末１００への通信サービスが望まれていた。
【０００８】
本発明は、広域に分布された通信制御装置による通信及びこれらを用いたシステムによる通信の制御を目的とする。
【０００９】
【課題を解決するための手段】
この発明に係る通信制御装置は、移動体端末の識別情報を含んだコンテンツ配信要求を移動体端末から第１の無線網を介して受信する無線通信部と、
上記無線通信部が受信したコンテンツ配信要求に対して移動体端末の識別情報を含んだ移動体端末との接続許可の問い合わせを移動体端末の認証を行う認証制御装置へ送信し、送信した問い合わせに含まれた移動体端末の識別情報から認証制御装置に移動体端末との接続を許可するか否かを判断させ、判断させた結果に基づいてコンテンツ配信要求をした移動体端末との回線を接続する通信部とを備えることを特徴とする。
【００１０】
この発明に係る通信制御装置は、移動体端末の識別情報を含んだコンテンツ配信要求を移動体端末から第１の無線網を介して受信する無線通信部と、
上記無線通信部が受信したコンテンツ配信要求に対して移動体端末との接続許可の問い合わせを認証鍵の制御を行う認証制御装置へ送信し、送信した問い合わせに対し認証制御装置から認証鍵を受信し、受信した認証鍵に基づいてコンテンツ配信要求をした移動体端末を認証し、認証結果に基づいて移動体端末との回線を接続する通信部とを備えることを特徴とする。
【００１１】
上記通信制御装置は、複数存在し、
上記複数の通信制御装置の各通信制御装置は、さらに、
上記複数の通信制御装置の各通信制御装置を識別する識別情報を記憶する記録部と、
上記無線通信部が受信したコンテンツ配信要求に含まれる移動体端末の識別情報と上記記録部によって記憶された上記各通信制御装置の識別情報とからコンテンツ配信要求を送信した移動体端末の属性を特定する管理部を備え、
上記各通信制御装置の通信部は、上記管理部によって特定された移動体端末の属性と上記記憶部が記憶した各通信制御装置の識別情報とを認証制御装置に送信し、上記各通信制御装置を経由してコンテンツを配信するサービス提供サーバから移動体端末に配信されるコンテンツの通信量を上記各通信制御装置の識別情報毎に移動体端末の属性に対応させて認証制御装置にカウントさせることを特徴とする。
【００１２】
この発明に係る通信システムは、移動体端末の識別情報を含んだコンテンツ配信要求を移動体端末から第１の無線網を介して受信する無線通信部と、
上記無線通信部が受信したコンテンツ配信要求に対して移動体端末の識別情報を含んだ移動体端末との接続許可の問い合わせを送信する通信部とを備える通信制御装置と、
上記通信部によって送信された問い合わせを受信し、受信した問い合わせに含まれた移動体端末の識別情報から移動体端末との接続を許可するか否かを判断し、判断結果に基づいて移動体端末との接続を上記通信制御装置に許可する認証部を備える認証制御装置とを備えたことを特徴とする。
【００１３】
この発明に係る通信システムは、移動体端末の識別情報を含んだコンテンツ配信要求を移動体端末から第１の無線網を介して受信する無線通信部と、
上記無線通信部が受信したコンテンツ配信要求に対して移動体端末との接続許可の問い合わせを送信する通信部とを備える通信制御装置と、
上記通信部によって送信された問い合わせを受信し、受信した問い合わせに対して認証鍵の生成を認証鍵生成サーバに命令し、認証鍵生成サーバによって生成された認証鍵を上記通信制御装置に送信し、送信した認証鍵に基づいて上記通信制御装置に移動体端末の認証を行わせる認証部とを備える認証制御装置とを備えたことを特徴とする。
【００１４】
上記通信制御装置は、複数存在し、
上記複数の通信制御装置の各通信制御装置は、さらに、
上記複数の通信制御装置の各通信制御装置を識別する識別情報を記憶する記録部と、
上記無線通信部が受信した移動体端末の識別情報と上記記録部によって記憶された上記各通信制御装置の識別情報とからコンテンツ配信要求を送信した移動体端末の属性を特定する管理部を備え、
上記通信部は、上記管理部によって特定された移動体端末の属性と上記記憶部によって記憶された各通信制御装置の識別情報とを上記認証部に送信し、
上記認証部は、上記通信部によって送信された移動体端末の属性と各通信制御装置の識別情報とを受信し、
上記認証制御装置は、さらに、
コンテンツを配信するサービス提供サーバから上記各通信制御装置を経由して移動体端末へ配信されるコンテンツを受信し、移動体端末へ送信されるコンテンツの通信量を上記認証部によって受信された上記各通信制御装置の識別情報毎に上記認証部によって受信された移動体端末の属性に対応させてカウントするカウンタを備えることを特徴とする。
【００１５】
上記通信システムは、さらに、
上記通信制御装置と接続され、上記通信制御装置によって送受信されるデータを転送するブロードバンド回線を備えることを特徴とする。
【００１６】
上記通信システムは、さらに、
サービス提供サーバから送信されたコンテンツを第２の無線網を介してコンテンツ配信要求をした移動体端末へ送信する基地局を備え、
上記通信システムは、上記基地局をアクセスポイントとして上記サービス提供サーバから移動体端末へコンテンツを配信する通信ルートと、上記通信制御装置をアクセスポイントとして上記サービス提供サーバから移動体端末へコンテンツを配信する通信ルートの少なくともいずれかの通信ルートによってサービス提供サーバから移動体端末へコンテンツを配信することを特徴とする。
【００１７】
この発明に係る通信制御方法は、移動体端末の識別情報を含んだコンテンツ配信要求を移動体端末から第１の無線網を介して受信し、
上記受信したコンテンツ配信要求に対して移動体端末の識別情報を含んだ移動体端末との接続許可の問い合わせを送信し、送信した問い合わせに含まれた移動体端末の識別情報から移動体端末との接続を許可するか否かを判断させ、
上記判断させた結果に基づいてコンテンツ配信要求をした移動体端末との回線を接続することを特徴とする。
【００１８】
この発明に係る通信制御方法は、移動体端末の識別情報を含んだコンテンツ配信要求を移動体端末から第１の無線網を介して受信し、
上記受信したコンテンツ配信要求に対して移動体端末との接続許可の問い合わせを送信し、
上記送信した問い合わせに対し認証鍵を受信し、
上記受信した認証鍵に基づいてコンテンツ配信要求をした移動体端末を認証し、認証結果に基づいて移動体端末との回線を接続することを特徴とする。
【００１９】
この発明に係る通信制御プログラムは、移動体端末の識別情報を含んだコンテンツ配信要求を移動体端末から第１の無線網を介して受信する処理と、
上記受信したコンテンツ配信要求に対して移動体端末の識別情報を含んだ移動体端末との接続許可の問い合わせを送信し、送信した問い合わせに含まれた移動体端末の識別情報から移動体端末との接続を許可するか否かを判断させる処理と、
上記判断させた結果に基づいてコンテンツ配信要求をした移動体端末との回線を接続する処理とをコンピュータに実行させることを特徴とする。
【００２０】
この発明に係る通信制御プログラムは、移動体端末の識別情報を含んだコンテンツ配信要求を移動体端末から第１の無線網を介して受信する処理と、
上記受信したコンテンツ配信要求に対して移動体端末との接続許可の問い合わせを送信する処理と、
上記送信した問い合わせに対し認証鍵を受信する処理と、
上記受信した認証鍵に基づいてコンテンツ配信要求をした移動体端末を認証し、認証結果に基づいて移動体端末との回線を接続する処理とをコンピュータに実行させることを特徴とする。
【００２１】
【発明の実施の形態】
実施の形態１．
実施の形態１について説明する。
図１は、本実施の形態のシステム構成図である。
移動体端末１００は、上述した関連技術の説明と同様に、インターネット５００と基地局８００と移動体通信網７００を経由してサービス提供サーバ６１０からサービス（コンテンツ配信）を受けることが可能である。ここで、移動体通信網７００とは、いわゆるＰＬＭＮ（ＰＵＢＬＩＣ  ＬＡＮＤ  ＭＯＢＩＬＥ  ＮＥＹＷＯＲＫ）のことで、ＰＤＣ（ＰＥＲＳＯＮＡＬ  ＤＩＧＩＴＡＬ  ＣＥＬＬＵＬＡＲ）、Ｗ−ＣＤＭＡ（ＷＩＤＥＢＡＮＤ−ＣＯＤＥ  ＤＩＶＩＳＩＯＮＭＵＬＴＩＰＬＥ  ＡＣＣＥＳＳ）、ＰＨＳ（ＰＥＲＳＯＮＡＬ  ＨＡＮＤＰＨＯＮＥ  ＳＹＳＴＥＭ）、ｃｄｍａ−ｏｎｅ、ｃｄｍａ２０００、ＧＳＭ（ＧＬＯＢＡＬ  ＳＹＳＴＥＭ  ＦＯＲ  ＭＯＢＩＬＥ  ＣＯＭＭＵＮＩＣＡＴＩＯＮＳ）、ＩＳ−９５等に対応した音声及びデータ通信網である。また、移動体通信網７００は、第２の無線網１２００の一例である。
この通信ルートを図１ではルートＡとして示す。本実施の形態では、移動体端末１００がサービスを受けるための通信ルートとして、ルートＡと後述するルートＢとの選択が可能である。
【００２２】
次に、ルートＢの通信ルートによる図１に示すシステムの動作について説明する。但し、図１０の関連発明で説明した構成と同一構成のものには、同一番号が付けられているので、それらについては説明を省略する。
移動体端末１００は、第２の無線網１２００の一例である移動体通信網７００を介して基地局８００との無線通信を行う第二無線通信部１２０の他、第１の無線網１１００によって無線通信を行う第一無線通信部１１０を備える。第一無線通信部１１０の一例としては、Ｂｌｕｅｔｏｏｔｈなどの無線通信モジュールが挙げられる。
２００は、Ｂｌｕｅｔｏｏｔｈなどの無線通信を移動体端末１００と行う装置を提供するブロードバンド回線供出者宅（民家、商店など）である。ブロードバンド回線供出者宅２００には、ブロードバンドモデム２１０が備えられている。ブロードバンドモデム２１０は通信制御装置の一例である。ブロードバンドモデム２１０には、無線通信部２１１が設けられている。無線通信部２１１は、第一無線通信部１１０との間でＢｌｕｅｔｏｏｔｈなどの無線通信を行う。ブロードバンド回線供出者宅２００は、ＡＤＳＬ等回線２２０等のブロードバンド回線と接続されている。
【００２３】
ここで、ブロードバンド回線とは、インターネット５００と常時接続された加入者系ネットワークをいう。ＡＤＳＬ等回線２２０は、ブロードバンド回線の一例である。ブロードバンド回線としては、ＡＤＳＬ（ＡＳＹＭＭＥＴＲＩＣ  ＤＩＧＩＴＡＬ  ＳＵＢＳＣＲＩＢＥＲ  ＬＩＮＥ）の他、ＣＡＴＶ（ＣＡＢＬＥＴＥＬＥＶＩＳＩＯＮ）、ＦＴＴＨ（ＦＩＢＥＲ  ＴＯ  ＴＨＥ  ＨＯＭＥ）が挙げられるが、本実施の形態では、更に、図１に示すＷＡＮ（ＷＩＤＥ  ＡＲＥＡ  ＮＥＴＷＯＲＫ）やローカルネットもブロードバンド回線に含まれる。
ＡＤＳＬとは、非対称デジタル加入者線をいう。電話局から各加入者宅（民家、商店、事業所）まで引かれている導線の加入者電話回線を利用して、現時点では数Ｍ〜十数Ｍｂｐｓの高速データ通信を可能にする加入者系ネットワークをいう。但し、通信速度は将来の技術の進歩とともにより高速になると思われる。
ＡＤＳＬでは、電話局とＡＤＳＬ回線供出者宅にＡＤＳＬモデムを取り付け、これらのモデム間を高速にデータ通信する。このＡＤＳＬモデムは、ブロードバンドモデム２１０の一例である。
ＣＡＴＶとは、同軸ケーブルによって接続された限定地域の各ＣＡＴＶ加入者宅（民家、商店、事業所）に対してＴＶ放送システムによって多様なサービスを提供する加入者系ネットワークをいう。
ＦＴＴＨとは、電話局から各加入者宅（民家、商店、事業所）までの加入者線を結ぶアクセス網を光ファイバ・ケーブルで敷設した加入者系ネットワークをいう。
ＷＡＮとは、遠隔地にあるコンピュータ同士またはＬＡＮ同士を公衆回線網を使って接続した加入者系ネットワークをいう。
【００２４】
ブロードバンド回線供出者宅（ビル）３００は、Ｂｌｕｅｔｏｏｔｈなどの無線通信を行うためのＷＡＮ回線供出企業を示す。ブロードバンド回線供出者宅３００の内部構成は、ブロードバンド回線供出者宅２００の内部構成と同様であり、ブロードバンドモデム３１０は、第一無線通信部１１０と無線通信する無線通信部３１１を有している。ブロードバンドモデム３１０の一例としては、ＷＡＮ回線モデムが挙げられる。
４００は、ＡＤＳＬ等回線２２０やＷＡＮ回線３２０とインターネット５００との間のローカルネットワークである。ここで、加入者とインターネットを接続する際には、加入者収容線を直接インターネットに接続するのではなく、一旦、接続事業者のネットワークを介して両者を接続するが、ローカルネットワークとは、インターネットと加入者収容線の中間に位置するこの接続事業者のネットワークをいう。
１０は、ローカルネット４００内にある認証制御装置である。認証制御装置１０は、ブロードバンドモデム２１０またはブロードバンドモデム３１０を経由して移動体端末１００に配信されるコンテンツの通信量を移動体端末１００の属性に対応させてブロードバンドモデム毎にカウントするカウンタ１１とコンテンツの配信を要求した移動体端末１００が、コンテンツ配信サービスを受けられる者であるかについての制御を行う認証部１２を備えている。移動体端末１００の属性については後述する。認証制御装置１０の一例では、プロキシサーバが挙げられる。
【００２５】
図１では、コンテンツ配信サービスを要求する移動体端末１００は、ブロードバンド回線供出者宅２００又はブロードバンド回線供出者宅３００付近いる。従って、ブロードバンド回線供出者宅２００のブロードバンドモデム２１０又はブロードバンド回線供出者宅３００のブロードバンドモデム３１０を用いて無線通信が可能である。即ち、ブロードバンドモデム２１０及びブロードバンドモデム３１０は、移動体端末１００にとって基地局８００と同様にアクセスポイントとしての役目を果たす。
【００２６】
今、移動体端末１００は、ブロードバンドモデム２１０をアクセスポイントとして無線通信する場合を考える。
まず、移動体端末１００の第一無線通信部１１０は、移動体端末１００の識別情報を含んだコンテンツ配信サービスを要求する。移動体端末１００の識別情報には、例えば、ＭＡＣアドレスやＩＰアドレスが考えられる。
ブロードバンドモデム２１０の無線通信部２１１は、第１の無線網１１００を介してコンテンツ配信要求を受信する。
ブロードバンドモデム２１０は、受信したコンテンツ配信要求に対して移動体端末１００の識別情報を含んだ移動体端末１００との接続許可の問い合わせを、ＡＤＳＬ等回線２２０とローカルネット４００を介して移動体端末１００の認証を行う認証制御装置１０へ送信する。
認証制御装置１０の認証部１２は、移動体端末１００がルートＢの通信ルートによってサービスを利用できるブロードバンド回線利用加入者であるか否かを判断する。
移動体端末１００がサービスを利用できる加入者であると判断した場合、認証制御装置１０は、ブロードバンドモデム２１０に接続許可信号を送信する。
ブロードバンドモデム２１０は、認証制御装置１０から送信された接続許可信号を受けて、移動体端末１００との回線を接続する。
【００２７】
このようにして、移動体端末１００は、ＡＤＳＬ等回線２２０及びローカルネット４００のブロードバンド回線の接続を許可される。この場合、移動体端末１００の利用者は、ブロードバンド回線供出者宅２００の供出者と同一人である必要はない。移動体端末１００の利用者がサービスを利用できる加入者であれば、ブロードバンド回線供出者宅２００の供出者でない第三者であっても、ブロードバンド回線供出者宅２００のブロードバンドモデム２１０をアクセスポイントとして利用してコンテンツ配信サービスの提供を受けることが可能である。
【００２８】
接続が許可された移動体端末１００のコンテンツ配信要求は、インターネット５００を経由して、サービス提供サーバ６１０に伝えられる。
サービス提供サーバ６１０は、要求されるコンテンツ６００を取り出し、認証制御装置１０を経由してブロードバンド回線供出者宅２００に送信する。
ブロードバンド回線供出者宅２００の無線通信部２１１は、移動体端末１００にサービス提供サーバ６１０から送信されたコンテンツ６００を送信する。このような動作によって、移動体端末１００は、ルートＡを使わなくても、ルートＢの通信ルートによるコンテンツ配信サービスを受けることができる。
【００２９】
移動体端末１００は、このように、ブロードバンド回線供出者宅２００をアクセスポイントとしたルートＢによる通信ルートの上記サービスと同様に、ブロードバンド回線供出者宅３００をアクセスポイントとしたサービスを受けることができる。即ち、本実施の形態において、ブロードバンド回線供出者宅２００とブロードバンド回線供出者宅３００は、同一の機能を果たし、ＡＤＳＬ等回線２２０やＷＡＮ回線３２０は、ブロードバンドモデム２１０やブロードバンドモデム３１０と接続する回線として、実質的に同様な機能を果たす。
図１では、移動体端末１００は、第一無線通信部１１０と第二無線通信部１２０を別々のモジュールとして備えている。ただし、第一無線通信部１１０と第二無線通信部１２０は、１つのモジュールとする場合も考えられる。いずれの場合も、移動体端末１００の無線通信部は、移動体端末１００の利用者の選択に応じてルートＡとルートＢとの間で通信ルートを切り換え、いずれかのルートを用いた無線通信を行う機能を有する。また、移動体端末１００の利用者の選択によらなくても予め定められた一定の要件の下、移動体端末１００の無線通信部が自動的にルートＡかルートＢかの通信ルートの選択を行い、その選択結果によって、いずれかの通信ルートにより無線通信するようにしてもよい。
【００３０】
本実施の形態において、移動体端末１００は、ルートＢからサービス提供を受けられるシステムを構築することができる。また、移動体端末１００は、ルートＢと他の複数の通信ルートを用いたサービスを選択的に受けられるシステムを構築することができる。
【００３１】
次に、図１で示したルートＢを通信ルートとした移動体端末１００へのコンテンツ配信サービスを行う動作について、各事業者と各事業者のサービス範囲の関係を含めて図２を用いて説明する。
図２は、ルートＢを通信ルートとした場合の各サービス事業者の提供する設備及びサービス内容及びサービスを提供するためのシステムの動作を示す図である。
まず、移動体端末１００がコンテンツ配信要求信号を発生する。この信号は、移動体端末１００付近のブロードバンドモデム２１０を経由して認証制御装置１０に送信される。認証制御装置１０による移動体端末１００の認証の結果、移動体端末１００との接続を許可した場合には、ブロードバンドモデム２１０をアクセスポイントとしてインターネット接続サービスが移動体端末１００に対して許可される（Ｓ７４）。
また、認証制御装置１０は、サービス提供サーバ６１０からブロードバンドモデム２１０をアクセスポイントとして移動体端末１００に配信されるコンテンツ量の管理及び制御を行う（Ｓ７５）。この管理、制御によりブロードバンドモデム２１０は、自己をアクセスポイントとした場合のコンテンツ量に応じた配当又は加入者料の値引きなどの特典を受けられる。
【００３２】
このように、認証制御装置１０を用いた街角アクセスポイント・サービス事業者のサービスを利用して、移動体端末１００は、コンテンツプロバイダ等のサービス提供事業者のサービスであるコンテンツ配信をサービス提供サーバ６１０から受けることができる（Ｓ７３）。
ここで、図２に示す街角アクセスポイント・サービス事業者とは、アクセス回線提供者である複数のブロードバンド回線供出者２００によって提供された広域に分布するアクセスポイントを介して短距離無線通信により移動体端末１００をインターネット５００に接続するサービスの提供事業者である。ここにいう短距離無線通信とは、１ｋｍ程度の無線通信をいうが、無線通信可能領域は、将来の技術の進歩とともにより広範囲になると思われる。街角アクセスポイント・サービス事業者の例としては、ｙａｈｏｏなどのＡＤＳＬサービスを行うインターネットサービスプロバイダがあげられる。
なお、図２に示す移動体通信事業者が提供するルートＡによるサービスについては、図１１に示すサービスと同様であるので、説明を省略する。
サービス提供事業者は、移動体端末１００に対して多チャンネルによるコンテンツの提供及びソフトウエアのバージョンアップなどの保守サービスを行う。このコンテンツの提供に対し、移動体端末１００の利用者は、コンテンツ料を支払う。また、サービス提供事業者の保守サービスに対し、移動体端末１００の利用者はサポート料を払う。このような仕組みによって、サービス提供プロバイダは利益を得ている。このようなサービス提供事業者によるコンテンツ配信サービスシステムは、図２のサービス提供事業者のサービス範囲に示されている。サービス提供事業者は、移動体通信事業者の提供する設備及びサービスを利用することにより、ルートＡを用いたコンテンツの配信を移動体端末１００へ行うことができる。また、サービス提供事業者は、街角アクセスポイント・サービス事業者の設備及びサービスを利用することにより、ルートＢを用いたコンテンツの配信が可能となる。
移動体端末１００の利用者は、移動体通信事業者および街角アクセスポイント・サービス事業者のサービスを受けるためには、移動体通信事業者および街角アクセスポイント・サービス事業者のサービスへの加入が必要であり、サービスを受けるための加入者料金を支払う。
このように、移動体端末１００の利用者は、移動体通信事業者のサービスへ加入することにより、ルートＡによるコンテンツ配信が受けられる。実際には、ルートＡによるサービス提供は、サービス提供サーバ６１０と基地局８００と移動体端末１００の装置によってシステムを構築し、各装置が協業して情報の送受信及び制御を行うことによって達成される。
同様にして、移動体端末１００の利用者は、街角アクセスポイント・サービス事業者のサービスへ加入することによって、移動体端末１００の利用者自身がブロードバンド回線への加入をしていなくても、他人の所有するブロードバンドモデム２１０等を介して、ルートＢによるコンテンツ配信を受けられる。この場合も、実際には、ルートＢによるサービス提供は、サービス提供サーバ６１０と認証制御装置１０とブロードバンドモデム２１０と移動体端末１００によってシステムを構築し、各装置が協業して情報の送受信及び制御をすることによって達成される。
【００３３】
次に、具体的な動作について説明する。
図３は、ブロードバンドモデム２１０の具体的構成及び移動体端末１００とブロードバンド回線供出者宅２００と認証制御装置１０の具体的動作を示した図である。
移動体端末１００は、ブロードバンド回線供出者宅２００付近にいる利用者の移動体端末である。各移動体端末１００は、それぞれに固有なＭＡＣアドレスを所有している。このＭＡＣアドレスによって、各々の移動体端末１００の識別が可能となる。認証部１２は、移動体端末それぞれに固有なＭＡＣアドレスを記憶したＭＡＣアドレステーブルを検索可能な状態にある。
【００３４】
次に、ブロードバンドモデム２１０の内部構成について説明する。
２１１は、移動体端末１００と第１の無線網１１００により無線通信する機能を持つ無線通信部である。
２１２は、無線通信のための回線帯域を制御する回線帯域制御部である。
２１７は、管理用ＩＰテーブル２１３と家庭用ＩＰテーブル２１４とを持つ記録部である。
家庭用ＩＰテーブル２１４は、ブロードバンドモデム２１０にアクセスしてくる移動体端末１００が自己移動体端末１００であるかを判断するために、自己の移動体端末１００の識別情報とブロードバンドモデム２１０自身の識別情報とを記憶したテーブルである。
管理用ＩＰテーブル２１３は、他人の移動体端末１００の識別情報を記憶したテーブルである。家庭用ＩＰテーブル２１４と管理用ＩＰテーブル２１３に記憶された移動体端末１００の識別情報の例としては、ＩＰアドレスが挙げられる。
２１５は、各種識別情報を管理する管理部である。
２１６は、ＡＤＳＬ等回線２２０とローカルネット４００のブロードバンド回線を介して認証制御装置１０と通信する通信部である。
図１と同一番号を付しているその他の構成は、前述した通りであり説明を省略する。
【００３５】
次に、移動体端末１００とブロードバンド回線供出者宅２００と認証制御装置１０の動作について説明する。
移動体端末１００がコンテンツ配信サービスを要求する場合、まず、移動体端末１００付近に存在するブロードバンド回線供出者宅２００が、その要求を第１の無線網１１００を通じて受信する（Ｓ５０）。
無線によるコンテンツ配信要求は、無線通信部２１１によって受信され、回線帯域制御部２１２を経て管理部２１５に送られる（Ｓ５２）。
管理部２１５では、送られてきたコンテンツ配信要求元の移動体端末１００の属性を識別する。例えば、移動体端末１００の識別情報と記憶部２１７が記憶する管理用ＩＰテーブル２１３と家庭用ＩＰテーブル２１４の識別情報とから移動体端末１００が自己の移動体端末１００であるか、他人の移動体端末１００であるかを判断し、移動体端末１００が自己の移動体端末１００であれば、移動体端末１００の属性をＡとし、移動体端末１００が他人の移動体端末１００であれば、移動体端末１００の属性をＢとすることが考えられる。具体的な例としては、次の方法が挙げられる。即ち、移動体端末１００から送られてくるコンテンツ配信要求に含まれている移動体端末１００の識別情報の中からＩＰアドレスに関する情報を取り出し、移動体端末１００のＩＰアドレスが家庭用ＩＰテーブル２１４のテーブル中に存在していれば、自己の移動体端末１００であると判断し、移動体端末１００の属性をＡとする。一方、移動体端末１００のＩＰアドレスが管理用ＩＰテーブル２１３のテーブル中に存在すれば、他人の移動体端末１００であると識別し、移動体端末１００の属性をＢとする。移動体端末１００の属性は、自分の端末と他人の端末とをＡとＢとに区別する方法だけでなく、一定条件の下、Ａ、Ｂ、Ｃ・・・・というように複数の属性に区別する方法を用いてもよい。
このような移動体端末１００の属性の特定後、ブロードバンドモデム２１０の通信部２１６は、ＡＤＳＬ等回線２２０とローカルネット４００のブロードバンド回線を伝送媒体として移動体端末１００のブロードバンドモデム２１０の識別情報と移動体端末１００の識別情報と移動体端末１００の属性を含んだ接続許可の問い合わせを認証制御装置１０の認証部１２に送信する（Ｓ５４）。認証部１２は、上記問い合わせを受信する。
【００３６】
次に、上記問い合わせを受信した認証部１２による認証手続について説明する。
認証部１２は、通信部２１６からの問い合わせに含まれた移動体端末１００の識別情報の中からＭＡＣアドレスを取り出し、取り出したＭＡＣアドレスとＭＡＣアドレステーブルとから、移動体端末１００が固有のＭＡＣアドレスが、ＭＡＣアドレステーブルの中に存在するか否かを判断する。移動体端末１００のＭＡＣアドレスが、ＭＡＣアドレステーブル内に存在していれば、コンテンツ配信要求をした移動体端末１００は、サービス利用可能な加入者であると判断される。その場合には、認証部１２は、ブロードバンドモデム２００に接続の要求を許可する信号を送信する（Ｓ５７）。
接続許可信号を受けたブロードバンドモデム２１０は、移動体端末１００との回線を接続する（Ｓ５８）。
【００３７】
回線を接続された移動体端末１００は、ブロードバンドモデム２１０をアクセスポイントとして、図１に示すルートＢ経由で、サービス提供サーバ６１０からコンテンツ配信サービスを受ける。
認証制御装置１０のカウンタ１１は、サービス提供サーバ６１０から自己の認証制御装置１０と各ブロードバンドモデム２１０を経由して移動体端末１００へ送信されるコンテンツの通信量を認証部１２によって受信された各ブロードバンドモデム２１０毎に移動体端末の属性に対応させてカウントする（Ｓ６０）。
カウンタ１１が、コンテンツの通信量をカウントする動作について、図４を使用して詳細に説明する。
カウンタ１１は、図４に示すようなテーブル１５に各ブロードバンドモデム２１０を経由して移動体端末１００に配信されたコンテンツの通信量をブロードバンドモデム２１０毎にカウントし、ブロードバンドモデム２１０を経由して配信された一定期間（例えば１ヶ月）の総コンテンツ通信量を記憶する。例えば、図４に示すブロードバンドモデム２１０の識別情報が「０００１」である場合には、識別情報「０００１」のブロードバンドモデム２１０を経由して移動体端末１００に配信されるコンテンツについて、コンテンツ通信量を識別情報「０００１」の行にカウントする。
ここで、仮にブロードバンドモデム２１０からの接続許可の問い合わせに含まれていた移動体端末１００の属性がＢであった場合について考える。カウンタ１１は、サービス提供サーバ６１０から識別情報「０００１」のブロードバンドモデム２１０を経由して送信されるコンテンツは、移動体端末１００の属性がＢであるから他人の移動体端末１００へ配信されるコンテンツであると判断する。従って、図４に示すテーブル１５の一行目であって移動体端末１００の属性Ｂの項目にこのコンテンツ通信量を加算する。図４のテーブル１５では、移動体端末１００の属性Ｂのコンテンツ通信量の累計は、現時点で５００バイトとなっている。同様にして、識別情報「０００１」のブロードバンドモデム２１０から認証制御装置１０への接続許可の問い合わせに含まれていた移動体端末１００の属性がＡであった場合には、テーブル１５の一行目であって移動体端末１００の属性Ａの項目にこのコンテンツ通信量を加算する。
ここで、自己の移動体端末１００へのコンテンツ配信に対しては、後述するようなキャッシュバック制度を設けないシステムとする場合には、テーブル１５の移動体端末１１０の属性Ａの項目を設けなくてもよい。
【００３８】
このように、カウンタ１１は、各識別情報を持つ複数のブロードバンドモデム２１０をアクセスポイントとした場合のコンテンツの通信量をブロードバンドモデム２１０毎にカウントアップしている。このため、例えば、ブロードバンド回線供出者は、月末などに自己がアクセスポイントとなった通信料に応じた配当（キャッシュバック）やブロードバンド回線供出者宅２００が加入する加入者料の値引き、減免などのサービスを受けることができる。
記録部２１７は、図３では、管理用ＩＰテーブル２１３と家庭用ＩＰテーブル２１４を所有していたが、管理用ＩＰテーブル２１３と家庭用ＩＰテーブル２１４を統合して管理することも可能である。また、自己の所有している移動体端末１００と他人の所有している移動体端末１００による接続要求に関わらず、カウンタ１１は、ブロードバンドモデム２１０をアクセスポイントとして提供した場合には、自己の移動体端末１００による通信であっても、他人の移動体端末１００への通信と区別することなく、コンテンツの通信量のカウントアップを行うことが可能となり、自己と他人の移動体端末１００の区別が不要となる分、管理が容易になる。
【００３９】
次に、図１のルートＢの通信ルートを用いて移動体端末１００が受けるサービスについての具体的動作を説明する。図５は、ブロードバンド回線（図１のルートＢ）を利用したサービスを移動体端末１００が受ける場合の具体的動作を示したフローチャートである。
まず、移動体端末１００からのコンテンツ配信要求をブロードバンドモデム２１０が受信する（Ｓ６０）。
コンテンツ配信要求を受信したブロードバンドモデム２１０は、認証制御装置１０へ接続に対する問い合わせを行う（Ｓ６１）。
認証制御装置１０は、認証部１２において、上記問い合わせに含まれている移動体端末１００の識別情報中のＭＡＣアドレスとＭＡＣアドレステーブル中のいずれかのＭＡＣアドレスとが一致するかどうか判断する。この判断は、ブロードバンドモデム２１０からの問い合わせ中に存在する移動体端末１００のＭＡＣアドレス情報と認証部１２が参照するＭＡＣアドレステーブルとを比較し、ＭＡＣアドレステーブル中に該当する移動体端末１００のＭＡＣアドレスが存在するか否かをチェックすることにより行われる（Ｓ６２）。
ＭＡＣアドレスが一致しない場合には、認証制御装置１０は、接続を許可しないため処理を終了する。
ＭＡＣアドレスが一致する場合には、問い合わせをしたブロードバンドモデム２１０へコンテンツ配信要求をした移動体端末１００との接続の許可信号を送信する（Ｓ６３）。
ブロードバンドモデム２１０は、認証制御装置１０からの接続許可信号を受け、移動体端末１００との回線を接続する（Ｓ６４）。
【００４０】
次に、回線を接続された移動体端末１００が要求したコンテンツの配信を受ける動作について説明する。
図６は、コンテンツ配信の具体的動作を示したフローチャートである。
まず、サービス提供サーバ６１０から配信されたコンテンツは、インターネット５００を介して認証制御装置１０に送信され、認証制御装置１０はこのコンテンツを受信する（Ｓ６５）。
認証制御装置１０のカウンタ１１は、サービス提供サーバ６１０から受信したコンテンツ通信量分、アクセスポイントとなっているブロードバンドモデム２１０の識別情報に対応した通信量を移動体端末１００の属性に対応させてカウントアップする（Ｓ６６）。
認証制御装置１０は、ブロードバンド回線を用いてブロードバンドモデム２１０へコンテンツを送信し、コンテンツを受信したブロードバンドモデム２１０は、第一の無線網１１００を用いて接続された移動体端末１００へコンテンツを送信する（Ｓ６７）。
上記ステップ６６の動作とステップ６７の動作は、どちらが先に行われてもよく、同時に行われてもよい。
【００４１】
以上、本実施の形態では、移動体端末１００は、図１に示すルートＡを通信ルートとしたサービス提供とともに、ルートＢを通信ルートとしたサービス提供を受けることができる。特に、ルートＢからのサービスは、高速、かつ、低額料金であるため、移動体端末１００を利用する利用者にとって、有利なサービス利用形態である。従って、本実施の形態のシステムによれば、金銭的負担が軽減されるため、移動体端末１００の利用者は気軽にコンテンツの配信を要求することができる。よって、移動体端末１００の利用者のコンテンツ配信サービス利用率の向上とともに、キャッシュバックなどの還元を求めて、アクセスポイントとしてのブロードバンドモデム２１０またはブロードバンドモデム３１０の供出を希望する者が増加し、システム全体のインフラが整備され、より利用率の高いシステムへ発展していくことが予想される。
但し、ルートＡによるサービス提供は、移動体端末１００が高速で移動している場合や安定したサービスを受けたい場合に、一定以上の通信レベルが保障されている点で優れたサービスである。
よって、ルートＡとルートＢのサービスを移動体端末１００が選択的に利用できることにより、いずれの通信ルートからのサービスも受け入れるようなサービス形態にしておけば、更に本システムの有用性が高まる。
【００４２】
また、従来においては、ＡＤＳＬ等回線２２０やＷＡＮ回線３２０は、加入者自身のみが利用していたが、本実施の形態では、他人にもこれらの回線を利用させることができるという特定多数の利用者の共同利用形態が可能となるため、ＡＤＳＬ等回線２２０やＷＡＮ回線３２０の有効利用が図れる。特に、近年の通信レベルの向上を契機にＡＤＳＬ等回線２２０の回線によるサービス加入者が急増しているため、ＡＤＳＬ等回線２２０を他人に提供するシステムは、ＡＤＳＬ回線やＣＡＴＶ回線やＦＴＴＨ回線の国内の整備とともに重要視されている。
【００４３】
また、ＡＤＳＬ等回線２２０に加入した場合には、ＡＤＳＬ等回線２２０を経由した送受信を可能とするために必ずブロードバンドモデム２１０を設置する必要があるが、従来においては、ＡＤＳＬ等回線２２０を使った回線サービスの加入者は、ブロードバンドモデム２１０を購入、設置しなければならなかった。
しかし、本実施の形態のようなシステムを構築すれば、ブロードバンドモデム２１０やブロードバンドモデム３１０を他人に利用させて、ブロードバンドモデム２１０やブロードバンドモデム３１０の提供者（アクセス回線提供者）が一定の利益を得られる仕組みとなっているため、ブロードバンドモデム２１０を購入しなくても、機器リース事業者からリース料を支払って機器のリースをすることも可能となる。従って、ＡＤＳＬ等回線２２０加入者は、ブロードバンドモデム２１０の回線を利用したサービスへの加入時点で、機器のリースを選択すればブロードバンドモデム２１０を購入するリスクを回避することができる。
このように、アクセス回線提供者は、毎月のアクセスポイント機器のリース料とコンテンツ通信量の差額又は機器買い取り額とコンテンツ通信量収入の総額との差分を利益とすることができる。なお、従来通り、アクセス回線提供者（ＡＤＳＬ等回線２２０加入者）は自らが利用者となることにより、家庭でのコンテンツ配信サービスの利用が可能である。
【００４４】
認証制御装置１０により認証やコンテンツ通信量のカウントを制御する街角アクセスポイント・サービス事業者は、アクセス回線提供者であるブロードバンド回線供出者宅に利用料を払い、複数のインターネット接続業者、或いは、コンテンツ（サービス）プロバイダにアクセスポイントを提供し、その手数料を得、その差分を利益とすることができる。
【００４５】
また、利用者のメリットは、アクセスポイントとしてブロードバンドモデム２１０やブロードバンドモデム３１０を無料又は低額料金で利用できる。
また、インターネット５００上のコンテンツの利用に関しても、従来通り家庭のローカルアクセス等を利用している限り、常時接続料金で設定している場合には、通信料金は固定費の範囲をでないため、実質的に通信費なしでの利用が可能となる。
【００４６】
また、コンテンツやサービスを配信するプロバイダ等サービス提供事業者は、このようなシステムを利用することで、コンテンツ又はサービスプロバイダに対してルートＡだけでなく、ルートＢという新たな商品提供チャネルを利用者に提供し、コンテンツ配信要求頻度を高めることが可能となる。
このように、サービス提供事業者にルートＢという低額で高速通信の通信ルートを提供することにより、移動体端末１００は、サービス利用料金が高額になる不安から解消され、安心して多くのサービスをサービス提供サーバ６１０から受けることが可能である。例えば、通信量の大きなアプリケーションのバージョンアップをルートＢによる通信ルートにより移動体端末１００に送信させる場合、ルートＡによる通信ルートを利用したサービスより低額なサービスが受けられる。また、例えば、ルートＢによる通信ルートにより移動体端末１００がサービス提供事業者からのサービスを中止する要求を可能とすることにより全体のサービス利用料金を低額にするというようなサービス提供方法も考えられる。
【００４７】
移動体通信事業者（携帯電話オペレータ）が行っている３Ｇ等の移動体通信インフラは、通信容量が大きく、場所を選ばない高速通信を提供できる点で魅力的ではあるが、巨大な設備投資を伴うサービスである。一方で、従来の移動体通信事業者は、投資を回収する必要があるため、地上網などと比べて利用者に高額な通信料金を設定していた。よって、移動体端末１００においてアクセス可能な情報であっても、高額な通信料金を必要とする移動体通信網７００を介して得る場合には、通信料金が高額なため利用者の通信ニーズの開拓は困難となってしまう。従って、移動体端末１００から家庭やオフィス、人の集まる場所においては、本実施の形態で開示したルートＢによる無料又は低額な通信インフラを介して気軽にコンテンツ配信サービスにアクセスできるようにして、移動体端末１００の利用者が、サービスを受けたい時の状況に対応したサービス形態を拡大しておく必要が生じる。これらの前提があって、移動体通信事業者は、初めて場所的制約を取り払うシームレスサービスである３Ｇなどの移動体通信インフラが真価を発揮することができるようになる。また、移動体通信事業者は、利用が集中するエリアにおいて、ルートＢによる通信という補完的な代替通信手段がサポートされることによって、一部の基地局設備への負荷集中を回避することもできるようになる。
【００４８】
移動体通信事業者は、また、街角アクセスポイント・サービス事業者に対し、端末のプラットフォームを提供することができる。この端末プラットフォームとは、移動体通信事業者が移動体通信事業を行うために携帯電話を買い上げる際、携帯電話の機能として無線機能や認証機能などを機器製造メーカーに要求し、それらの機能を有した携帯電話を街角アクセスポイント・サービス事業者に提供することを意味する。
一方、街角アクセスポイント・サービス事業者は、移動体通信事業者に対し、付加価値のあるサービスの追加を行うことができる。例えば、ゲーム対戦を行う場合、ゲーム対戦に使用するアプリケーションプログラムのダウンロードを、予め低料金のルートＢによる配信によって移動体端末１００にダウンロードする。その後、実際のゲーム対戦時には、ルートＡによる通信によって対戦する。このように、移動体端末１００がコンテンツ配信のルートを選択できることにより、移動体端末１００が支払うサービス利用料金が低額になるため、サービスを要求する機会が増え、移動体通信事業者にとっても、街角アクセスポイント・サービス事業者にとっても、サービス提供事業者にとっても、利益が増大するサービス提供システムを構築できる。なお、街角アクセスポイント・サービス事業者は、移動体通信事業者と同一の事業者がサービスを行ってもよい。
また、サービス提供事業者は、携帯電話などの移動体端末を製造する製造メーカと同一のものである場合も考えられる。
【００４９】
その他、本実施の形態が普及するにつれ、以下に示す事業者もそれぞれの利益を受けることができる。
【００５０】
また、インターネット接続業者のメリットは、自社でアクセスポイントを設置する投資リスクを避けて、ブロードバンドモデム２１０等による上記街角アクセスポイントを利用して、利用者に広域アクセスポイントの利便を供与できる。また、低トラフィックで、比較的広域に分散するエリアのアクセスポイントを複数の業者と共有できることにより、インターネット接続業者投資負担を減少することができる。
【００５１】
アクセスポイント機器であるブロードバンドモデム２１０等の開発業者のメリットとしては、機器の開発、販売によって利益を得ることが挙げられる。
【００５２】
アクセスポイント機器をリースするリース業者のメリットとしては、リース料収入によって利益を得ることがあげられる。
【００５３】
移動体端末１００を提供する端末提供者のメリットとしては、従来、移動体通信網７００を介してのみ提供可能であった移動体端末１００の利用者へのサービスを直接提供できるようになる。通信料がかからないサービスとできるため、利用者へのアクセス及び利用者からのアクセスは非常に容易となり、実現できるサービスの選択肢も飛躍的に増大する。端末製造業から自社端末の利用者を囲い込んだサービス事業への移行が可能となる。
【００５４】
実施の形態２．
実施の形態１では、認証制御装置１０が自ら認証を行い、接続を許可するかどうかを判断していた。本実施の形態では、認証鍵生成サーバ２０によって認証鍵を生成し、ブロードバンドモデム２１０に認証鍵を用いてコンテンツ配信要求をした移動体端末１００を認証させることにより、移動体端末１００との接続を判断するシステムについて説明する。
本実施の形態のシステム構成を、図７に示す。本実施の形態では、実施の形態１の構成に公開鍵を生成する認証鍵生成サーバ２０が付加されている。
【００５５】
４１０は、専用線である。認証鍵生成サーバ２０は、専用線４１０を経由して認証制御装置１０と接続されている。また、認証鍵生成サーバ２０は、インターネット５００を経由してサービス提供サーバ６１０と接続されている。４１０は、認証鍵を認証制御装置１０に送信するため、セキュリティが保証されている必要があるが、セキュリティが保証されていれば、専用線に限らず、いかなる回線を用いてもよい。
図７について他の構成は、図１と同様であるので、説明を省略する。
図８は、図３と同様に認証制御装置１０とブロードバンドモデム２１０と移動体端末１００との具体的動作を示す図である。図３の構成に認証鍵生成サーバ２０が付加されている。
【００５６】
図９は、図７のシステムの具体的動作を示すフローチャートである。
まず、移動体端末１００から移動体端末１００の識別情報を含んだコンテンツ配信要求がなされると（Ｓ８０）、ブロードバンドモデム２１０は、認証制御装置１０へ接続の問い合わせを行う（Ｓ８１）。
認証制御装置１０の認証部１２は、認証鍵生成サーバ２０に公開鍵の生成を要求する（Ｓ８５）。
公開鍵の生成を要求された認証鍵生成サーバ２０は、ランダムに公開鍵を生成し、専用線４１０を介して生成した公開鍵を認証部１２へ送信する（Ｓ８６）。認証部１２は、送信された公開鍵を、ブロードバンドモデム２１０（または、無線アクセスポイント）へ送信する（Ｓ８７）。
ブロードバンドモデム２１０は、送信された公開鍵と対応秘密鍵とを用いて、移動体端末１００を認証する（Ｓ８８）。
認証により移動体端末１００がサービスの提供対象端末と認証された場合には（Ｓ８９）、ブロードバンドモデム２１０は、移動体端末１００との回線を接続する（Ｓ９０）。
移動体端末１００がサービスの提供対象端末でないと認められた場合には（Ｓ８９）、回線を接続せずに終了する。
【００５７】
コンテンツの通信量のカウントアップ動作については、実施の形態１で説明した動作と同様であるので、説明を省略する。
【００５８】
このように、認証制御装置１０が自ら認証判断を行うのでなく、認証鍵生成サーバ２０に公開鍵を生成させ、公開鍵に基づいて移動体端末１００とブロードバンドモデム２１０との間で認証手続きを行うことによって、認証制御装置１０の処理負担が軽減される。そのため、ブロードバンド回線への加入者が著しく増大した場合にも、認証制御装置１０によるスムーズなサービス提供が可能となる。また、認証部１２は、ＭＡＣアドレステーブルを参照する必要もなくなるため、ＭＡＣアドレステーブルなどのテーブルの更新などの管理が不要となる。
また、本実施の形態によれば、移動体端末１００が自分自身の機器を示す固有のアドレスを持つ必要がなく、認証鍵生成サーバ２０から送信される公開鍵を盗聴されずに移動体端末１００へ送信する回線システムを提供できれば、信頼性の高い認証手続きによって正確な回線接続が可能となる。
【００５９】
以上に記載した「記憶する」という用語は、記録媒体に保存することを意味する。
【００６０】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、上記プログラムを、プログラムを記録したコンピュータ読み取り可能な記録媒体に記憶させることで、プログラムに記録したコンピュータ読取り可能な記録媒体の実施の形態とすることができる。
【００６１】
従って、通信制御プログラムの実施の形態は、
移動体端末の識別情報を含んだコンテンツ配信要求を移動体端末から第１の無線網を介して受信する処理と、
上記受信したコンテンツ配信要求に対して移動体端末の識別情報を含んだ移動体端末との接続許可の問い合わせを送信し、送信した問い合わせに含まれた移動体端末の識別情報から移動体端末との接続を許可するか否かを判断させる処理と、
上記判断させた結果に基づいてコンテンツ配信要求をした移動体端末との回線を接続する処理とをコンピュータに実行させるための通信制御プログラムを記録したコンピュータ読み取り可能な記録媒体、というように、通信制御プログラムに記録したコンピュータ読取り可能な記録媒体の実施の形態とすることができる。
【００６２】
また、通信制御プログラムの実施の形態は、
移動体端末の識別情報を含んだコンテンツ配信要求を移動体端末から第１の無線網を介して受信する処理と、
上記受信したコンテンツ配信要求に対して移動体端末との接続許可の問い合わせを送信する処理と、
上記送信した問い合わせに対し認証鍵を受信する処理と、
上記受信した認証鍵に基づいてコンテンツ配信要求をした移動体端末を認証し、認証結果に基づいて移動体端末との回線を接続する処理とをコンピュータに実行させるための通信制御プログラムを記録したコンピュータ読み取り可能な記録媒体、というように、通信制御プログラムに記録したコンピュータ読取り可能な記録媒体の実施の形態とすることができる。
【００６３】
プログラムの実施の形態及びプログラムに記録したコンピュータ読取り可能な記録媒体の実施の形態は、すべてコンピュータで動作可能なプログラムにより構成することができる。
プログラムの実施の形態およびプログラムを記録したコンピュータ読取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。なお、記録装置、中央処理装置は図示していない。
また、各実施の形態のソフトウエアやプログラムは、ＲＯＭ（ＲＥＡＤ  ＯＮＬＹ  ＭＥＭＯＲＹ）に記憶されたファームウエアで実現されていても構わない。あるいは、ソフトウエアとファームウエアとハードウエアとの組み合わせで前述したプログラムの各機能を実現しても構わない。
【００６４】
【発明の効果】
この発明によれば、アクセスポイントとなる通信制御装置を提供できる。
【００６５】
また、この発明によれば、コンテンツ配信要求に対応する通信システムを構築できる。
【００６６】
また、この発明によれば、コンテンツ配信を要求した状況に対応して通信ルートを選択できる。
【図面の簡単な説明】
【図１】  実施の形態１を示すシステム構成図である。
【図２】  システムを構成する各機器の関係を示す図である。
【図３】  認証制御装置とブロードバンドモデムと移動体端末との具体的動作を示す図である。
【図４】  コンテンツ通信量を記憶するテーブルである。
【図５】  回線接続のための具体的動作を示す図である。
【図６】  コンテンツ配信の具体的動作を示す図である。
【図７】  実施の形態２のシステム構成図である。
【図８】  認証制御装置とブロードバンドモデムと移動体端末との具体的動作を示す図である。
【図９】  回線接続のための認証動作を示す図である。
【図１０】  関連システムの構成図である。
【図１１】  関連システムを構成する各機器の関係を示す図である。
【符号の説明】
１０  認証制御装置、１１  カウンタ、１２  認証部、１５  テーブル、２０認証鍵生成サーバ、１００  移動体端末、１１０  第一無線通信部、１２０  第二無線通信部、２００  ブロードバンド回線供出者宅（民家、商店）、２１０，３１０  ブロードバンドモデム、２１１，３１１  無線通信部、２１２  回線帯域制御部、２１３  管理用ＩＰテーブル、２１４  家庭用ＩＰテーブル、２１５  管理部、２１６  通信部、２１７  記録部、２２０  ＡＤＳＬ等回線、３００  ブロードバンド回線供出者宅（ビル）、３２０  ＷＡＮ回線、４００  ローカルネット、４１０  専用線、５００  インターネット、６００  コンテンツ、６１０  サービス提供サーバ、７００  移動体通信網、８００  基地局。
【図１】
0003913585.tif 000002
【図２】
0003913585.tif 000003
【図３】
0003913585.tif 000004
【図４】
0003913585.tif 000005
【図５】
0003913585.tif 000006
【図６】
0003913585.tif 000007
【図７】
0003913585.tif 000008
【図８】
0003913585.tif 000009
【図９】
0003913585.tif 000010
【図１０】
0003913585.tif 000011
【図１１】
0003913585.tif 000012